(57)【特許請求の範囲】
【請求項１】
光源と、前記光源から射出された光を変調する光変調装置と、前記光変調装置で変調さ
れた光を投写する投写光学装置と、前記投写光学装置を保持する保持部と、を備えたプロ
ジェクターであって、
前記保持部は、
前記投写光学装置の光軸に直交する面を有するベース部と、
前記投写光学装置を位置決めするための係合部と、
前記投写光学装置が載置され、当該投写光学装置を前記保持部の所定の位置に導く案内
部と、を備え、
前記投写光学装置は、
複数のレンズを収納する鏡筒部と、
前記鏡筒部の外周面から突出し、前記ベース部に対向するフランジ部と、
前記所定の位置で、前記係合部に係合する被係合部と、
当該投写光学装置が前記案内部に載置された際に、前記案内部に当接する当接部と、を備え、
前記係合部は、前記フランジ部に向かって突出する位置決めピン、または前記ベース部
に形成され、前記光軸に平行な軸に沿う位置決め孔のいずれか一方であり、
前記被係合部は、前記フランジ部に形成され、前記位置決めピンが挿入される挿入孔、
または前記位置決め孔に挿入される挿入ピンのいずれか一方であり、
前記案内部は、前記係合部の鉛直方向下方に形成され、前記ベース部から前記フランジ
部に向かって突出するガイドピンであって、前記投写光学装置がスライド移動するように前記投写光学装置を案内し、
前記当接部は、前記フランジ部における鉛直方向下側の端部に形成され、前記ガイドピ
ンが挿入される切欠きであることを特徴とするプロジェクター。
【請求項２】
請求項１に記載のプロジェクターであって、
前記ガイドピンは、鉛直方向上方から見て前記光軸の両側に一対配置され、
前記切欠きは、前記ガイドピンに対応して一対設けられていることを特徴とするプロジ
ェクター。
【請求項３】
請求項１または請求項２に記載のプロジェクターであって、
前記ガイドピンは、前記ベース部に対し着脱可能に構成されていることを特徴とするプ
ロジェクター。
【請求項４】
光源と、前記光源から射出された光を変調する光変調装置と、前記光変調装置で変調さ
れた光を投写する投写光学装置と、前記投写光学装置を保持する保持部と、を備えたプロ
ジェクターであって、
前記保持部は、
前記投写光学装置の光軸に直交する面を有するベース部と、
前記投写光学装置を位置決めするための係合部と、
前記投写光学装置が載置され、当該投写光学装置を前記保持部の所定の位置に導く案内
部と、を備え、
前記投写光学装置は、
複数のレンズを収納する鏡筒部と、
前記鏡筒部の外周面から突出し、前記ベース部に対向するフランジ部と、
前記所定の位置で、前記係合部に係合する被係合部と、
当該投写光学装置が前記案内部に載置された際に、前記案内部に当接する当接部と、を備え、
前記係合部は、前記フランジ部に向かって突出する位置決めピン、または前記ベース部
に形成され、前記光軸に平行な軸に沿う位置決め孔のいずれか一方であり、
前記被係合部は、前記フランジ部に形成され、前記位置決めピンが挿入される挿入孔、
または前記位置決め孔に挿入される挿入ピンのいずれか一方であり、
前記案内部は、前記ベース部から前記フランジ部側に向かって突出し、鉛直方向上側に
平坦面を有するものであって、前記投写光学装置がスライド移動するように前記投写光学装置を案内し、
前記当接部は、前記フランジ部から突出して前記平坦面に当接し、前記平坦面に平行な
軸を中心に回動可能な回動部材であることを特徴とするプロジェクター。
【請求項５】
請求項４に記載のプロジェクターであって、
前記平坦面は、前記光軸に沿う方向において、前記ベース部から離間する程、前記光軸
から遠ざかる傾斜面を有していることを特徴とするプロジェクター。
【請求項６】
請求項４または請求項５に記載のプロジェクターであって、
前記案内部は、前記平坦面から鉛直方向上方に突出し、前記平坦面と前記光軸に直交す
る面とが交差する直線に沿う第１方向において、互いに対向する一対のガイド壁を有し、
前記一対のガイド壁は、前記第１方向における互いの離間距離が、前記ベース部に近づ
く程小さくなり、前記ベース部側となる基端部で前記回動部材が嵌合する大きさに形成さ
れていることを特徴とするプロジェクター。
【請求項７】
請求項４〜請求項６のいずれか一項に記載のプロジェクターであって、
前記案内部は、前記ベース部に対し着脱可能に構成されていることを特徴とするプロジ
ェクター。
【発明の詳細な説明】
【技術分野】
【０００１】
本発明は、プロジェクターに関する。
【背景技術】
【０００２】
従来、光源と、光源から射出された光を画像情報に応じて変調する光変調装置と、光変調装置で変調された光を投写する投写光学装置とを備えたプロジェクターが知られている。そして、投写光学装置を交換可能とするプロジェクターが提案されている（例えば、特許文献１参照）。
【０００３】
特許文献１に記載のプロジェクターは、外装ケースと、光学装置とを備え、光学装置は、電気光学装置と、投射光学装置（投写光学装置）と、ヘッド体と、光学部品用筐体と、を備える。
電気光学装置は、光変調装置としての液晶パネルと、入射側偏光板および射出側偏光板と、色合成光学装置としてのクロスダイクロイックプリズムとを備える。
投写光学装置は、鏡筒およびフランジを備え、このフランジには、位置決め用孔と、固定用孔が形成されている。
ヘッド体には、フランジの位置決め用孔および固定用孔に対応する凸部およびねじ孔と、光学部品用筐体に対する位置決め用孔および固定用孔とが形成されている。
光学部品用筐体は、光学部品を所定位置に配置し、ヘッド体の位置決め用孔および固定用孔に対応する凸部およびねじ孔を有している。
投写光学装置は、フランジの位置決め用孔にヘッド体の凸部が嵌合し、固定用孔から挿通されたネジによってヘッド体に固定される。ヘッド体は、位置決め用孔に光学部品用筐体の凸部が嵌合し、固定用孔から挿通されたネジによって光学部品用筐体に固定される。
【先行技術文献】
【特許文献】
【０００４】
【特許文献１】特開２００５−３３１５６１号公報
【発明の概要】
【発明が解決しようとする課題】
【０００５】
しかしながら、特許文献１に記載の技術では、重量が重い投写光学装置を備えるプロジェクターにおいては、光学部品用筐体に取り付けられたヘッド体に投写光学装置を取り付ける作業が難しいという課題がある。すなわち、作業者が投写光学装置を抱えてヘッド体の凸部に位置決め用孔を嵌合させる作業は難しいと考えられる。さらに、投写光学装置への損傷を回避するために、慎重に作業を行うことが望まれ、作業者に大きな負荷をかけてしまうという課題もある。また、投写光学装置の取り付け作業に止まらず、取り外し作業においても作業者に大きな負荷をかけてしまうことになる。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から射出された光を変調する光変調装置と、前記光変調装置で変調された光を投写する投写光学装置と、前記投写光学装置を保持する保持部と、を備えたプロジェクターであって、前記保持部は、前記投写光学装置の光軸に直交する面を有するベース部と、前記投写光学装置を位置決めするための係合部と、前記投写光学装置が載置され、当該投写光学装置を前記保持部の所定の位置に導く案内部と、を備え、前記投写光学装置は、複数のレンズを収納する鏡筒部と、前記鏡筒部の外周面から突出し、前記ベース部に対向するフランジ部と、前記所定の位置で、前記係合部に係合する被係合部と、当該投写光学装置が前記案内部に載置された際に、前記案内部に当接する当接部と、を備え、前記案内部は、前記投写光学装置がスライド移動するように、前記投写光学装置を案内することを特徴とする。
【０００８】
この構成によれば、投写光学装置は、当接部が保持部の案内部に当接して案内部に載置される。そして、投写光学装置は、フランジ部がベース部に近づけられるようにスライド移動されると、所定の位置で被係合部と係合部とが係合し、保持部に位置決めされる。これによって、作業者は、投写光学装置を案内部に載置すれば、投写光学装置を抱えることなくベース部に近づけるという簡単な作業で容易に投写光学装置を保持部に位置決めし、ネジ等を用いて保持部の所定の位置に取り付けることが可能となる。また、投写光学装置は、保持部から取り外される場合にも案内部によって案内されることが可能なので、作業者は、保持部に位置決めされた投写光学装置を抱えることなく、ベース部から遠ざけ、容易に被係合部と係合部との係合を解除することができる。
よって、重量が重い投写光学装置（例えば、明るい画像や大きな画像の投写、いわゆる高光束の画像を投写するプロジェクターに搭載される投写光学装置や、超単焦点用のレンズを搭載した投写光学装置等）を備える構成であっても、作業者に大きな負担をかけることなく、製造における投写光学装置の取り付け作業や、投写光学装置の交換作業等が容易に可能なプロジェクターを提供することが可能となる。
また、投写光学装置を回転させることによって投写光学装置を保持部に位置決めするような構成に比べ、投写光学装置の回転軌跡の領域に形状を有さないように保持部を形成することや、保持部における投写光学装置の回転軌跡の領域が小さくなるように投写光学装置を構成する必要がないので、投写光学装置および保持部における形状の自由度を高めることや、構成の簡素化が可能となる。
【０００９】
［適用例２］上記適用例に係るプロジェクターにおいて、前記係合部は、前記フランジ部に向かって突出する位置決めピン、または前記ベース部に形成され、前記光軸に平行な軸に沿う位置決め孔のいずれか一方であり、前記被係合部は、前記フランジ部に形成され、前記位置決めピンが挿入される挿入孔、または前記位置決め孔に挿入される挿入ピンのいずれか一方であり、前記案内部は、前記係合部の鉛直方向下方に形成され、前記ベース部から前記フランジ部に向かって突出するガイドピンであり、前記当接部は、前記フランジ部における鉛直方向下側の端部に形成され、前記ガイドピンが挿入される切欠きであることが好ましい。
【００１０】
この構成によれば、投写光学装置は、フランジ部の切欠きにガイドピンが配置されるようにガイドピン上に載置され、ベース部側に押されることで、ガイドピンに案内されて移動する。そして、投写光学装置は、被係合部（挿入孔または挿入ピン）が係合部（位置決めピンまたは位置決め孔）に近づくように移動し、所定の位置で被係合部が係合部に係合して保持部に位置付けられる。これによって、簡素な構成で投写光学装置が案内部に載置され、案内部が投写光学装置のスライド移動を案内する構成が可能となる。
【００１１】
［適用例３］上記適用例に係るプロジェクターにおいて、前記ガイドピンは、鉛直方向上方から見て前記光軸の両側に一対配置され、前記切欠きは、前記ガイドピンに対応して一対設けられていることが好ましい。
【００１２】
この構成によれば、ガイドピンおよび切欠きは、光軸の両側に一対設けられているので、投写光学装置は、安定してガイドピンに載置されるとともに、保持部に位置決めされる方向への安定した移動が可能となる。これによって、作業者は、より容易に、投写光学装置を保持部に位置決めすることが可能になる。
また、鉛直方向上方から見て、鏡筒部の両側から一対のガイドピンそれぞれの少なくとも一部が見えるように、一対のガイドピンを配置すれば、作業者は、投写光学装置をガイドピンに載置し易くなるので、作業性がさらに向上する。
【００１３】
［適用例４］上記適用例に係るプロジェクターにおいて、前記ガイドピンは、前記ベース部に対し着脱可能に構成されていることが好ましい。
【００１４】
この構成によれば、ガイドピンは、例えば、ネジによる接続等でベース部と着脱可能に構成されている。これによって、投写光学装置が保持部に取り付けられた状態でガイドピンを取り外すことができるので、ガイドピンが配置されるスペースをプロジェクターに設けることを不要にすることや、ガイドピンの重量がプロジェクターの重量に加わらないように構成することができる。よって、大型化や重量増加を抑制して投写光学装置の取り付け作業や、投写光学装置の交換作業等を容易に行えるプロジェクターの提供が可能となる。
【００１５】
［適用例５］上記適用例に係るプロジェクターにおいて、前記係合部は、前記フランジ部に向かって突出する位置決めピン、または前記ベース部に形成され、前記光軸に平行な軸に沿う位置決め孔のいずれか一方であり、前記被係合部は、前記フランジ部に形成され、前記位置決めピンが挿入される挿入孔、または前記位置決め孔に挿入される挿入ピンのいずれか一方であり、前記案内部は、前記ベース部から前記フランジ部側に向かって突出し、鉛直方向上側に平坦面を有し、前記当接部は、前記フランジ部から突出して前記平坦面に当接し、前記平坦面に平行な軸を中心に回動可能な回動部材であることが好ましい。
【００１６】
この構成によれば、作業者は、回動部材が平坦面に当接するように投写光学装置を案内部に載置することで、投写光学装置を小さな力で移動させ、保持部に位置決めすることができる。よって、投写光学装置の保持部への取り付け、および取り外しがさらに容易となる。
また、床や作業台等に回動部材を当接させることで、投写光学装置を単独で容易に移動させることができる。
【００１７】
［適用例６］上記適用例に係るプロジェクターにおいて、前記平坦面は、前記光軸に沿う方向において、前記ベース部から離間する程、前記光軸から遠ざかる傾斜面を有していることが好ましい。
【００１８】
この構成によれば、案内部が作業台上に位置するように保持部を配置することで、案内部の傾斜面と作業台の上面とが小さな段差を介して繋がるように構成することが可能となる。これによって、回動部材を作業台の上面に当接させた投写光学装置を押すことで、投写光学装置を作業台から持ち上げることなく、回動部材を作業台の上面から傾斜面に連続して回動させて容易に投写光学装置を案内部に載置させることが可能となる。よって、作業者の負荷をさらに低減することが可能となる。
【００１９】
［適用例７］上記適用例に係るプロジェクターにおいて、前記案内部は、前記平坦面から鉛直方向上方に突出し、前記平坦面と前記光軸に直交する面とが交差する直線に沿う第１方向において、互いに対向する一対のガイド壁を有し、前記一対のガイド壁は、前記第１方向における互いの離間距離が、前記ベース部に近づく程小さくなり、前記ベース部側となる基端部で前記回動部材が嵌合する大きさに形成されていることが好ましい。
【００２０】
この構成によれば、投写光学装置は、回動部材の回動によりベース部側に向かう方向以外の方向にも移動可能であるが、上述したガイド壁によって回動部材がベース部側に向かうように案内される。すなわち、作業者が一対のガイド壁の内側の平坦面に回動部材が当接するように投写光学装置を案内部に載置してフランジ部をベース部に近づければ、投写光学装置は、回動部材がガイド壁によって案内されて保持部の所定の位置に向かう。そして、一対のガイド壁は、ベース部側となる基端部において、回動部材が嵌合する離間距離に形成されているので、回動部材が一対のガイド壁に嵌合する位置で被係合部が係合部に係合するように構成することができる。よって、投写光学装置をさらに容易に載置し易く構成しつつ、軽負荷で、投写光学装置を保持部の所定の位置に位置決めすることが可能となる。
【００２１】
［適用例８］上記適用例に係るプロジェクターにおいて、前記案内部は、前記ベース部に対し着脱可能に構成されていることが好ましい。
【００２２】
この構成によれば、大型化や重量増加を抑制して投写光学装置の取り付け作業や、投写光学装置の交換作業等を容易に行えるプロジェクターの提供が可能となる。
【図面の簡単な説明】
【００２３】
【図１】第１実施形態のプロジェクターの概略構成を示す模式図。
【図２】第１実施形態の投写レンズおよび保持部を模式的に示す斜視図。
【図３】第１実施形態における投写レンズの保持部への取り付け手順を説明するための図。
【図４】第２実施形態の投写レンズおよび保持部を模式的に示す斜視図。
【図５】第２実施形態における投写レンズの保持部への取り付け手順を説明するための図。
【図６】第３実施形態の投写レンズおよび保持部を示す斜視図。
【図７】第３実施形態におけるベース部を取り外した保持部を示す斜視図。
【図８】第３実施形態における保持部および保持部に取り付けられた投写レンズの一部を示す斜視図。
【発明を実施するための形態】
【００２４】
（第１実施形態）
以下、第１実施形態に係るプロジェクターについて、図面を参照して説明する。
本実施形態のプロジェクターは、光源から射出された光を画像情報に応じて変調し、変調した光をスクリーン等の投写面に拡大投写する。
【００２５】
〔プロジェクターの主な構成〕
図１は、本実施形態のプロジェクター１の概略構成を示す模式図である。
プロジェクター１は、図１に示すように、外装を構成する外装筐体２、制御部（図示省略）、光源装置３１を有する光学ユニット３、および電源装置４を備える。なお、図示は省略するが、外装筐体２の内部には、さらに、光学ユニット３や電源装置４等を冷却する冷却装置が配置されている。また、以下では、説明の便宜上、机上等に載置されたプロジェクター１において、投写面側を＋Ｙ側（前側）、後方から見たプロジェクター１の左側を＋Ｘ側（左側）、鉛直方向上側を＋Ｚ側（上側）として記載する。
【００２６】
外装筐体２は、詳細な説明は省略するが、複数の部材で構成され、外気を取り込む吸気口、および外装筐体２内部の温まった空気を外部に排気する排気口等が設けられている。
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２７】
光学ユニット３は、制御部による制御の下、光源装置３１から射出された光を光学的に処理して投写する。
光学ユニット３は、図１に示すように、光源装置３１に加え、インテグレーター照明光学系３２、色分離光学系３３、リレー光学系３４、光学装置３５、投写光学装置としての投写レンズ５、投写レンズ５を保持する保持部６、およびこれらの光学部品を光路上の所定位置に配置する光学部品用筐体３７を備える。
【００２８】
光源装置３１は、超高圧水銀ランプやメタルハライドランプ等からなる放電型の光源３１１、およびリフレクター３１２等を備える。光源装置３１は、光源３１１から射出された光をリフレクター３１２にて反射し、インテグレーター照明光学系３２に向けて射出する。
【００２９】
インテグレーター照明光学系３２は、第１レンズアレイ３２１、第２レンズアレイ３２２、偏光変換素子３２３、および重畳レンズ３２４を備える。
第１レンズアレイ３２１は、小レンズがマトリクス状に配列された構成を有しており、光源装置３１から射出された光を複数の部分光に分割する。第２レンズアレイ３２２は、第１レンズアレイ３２１と略同様の構成を有しており、重畳レンズ３２４とともに、部分光を後述する光変調装置３５１に略重畳させる。偏光変換素子３２３は、第２レンズアレイ３２２から射出されたランダム光を光変調装置３５１で利用可能な略１種類の偏光光に揃える機能を有している。
【００３０】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する機能を有する。
【００３１】
リレー光学系３４は、入射側レンズ３４１、リレーレンズ３４３、および反射ミラー３４２，３４４を備え、色分離光学系３３で分離されたＲ光をＲ光用の光変調装置３５１まで導く機能を有する。なお、光学ユニット３は、リレー光学系３４がＲ光を導く構成としているが、これに限らず、例えば、Ｂ光を導く構成としてもよい。
【００３２】
光学装置３５は、各色光用に設けられた光変調装置３５１（Ｒ光用の光変調装置を３５１Ｒ、Ｇ光用の光変調装置を３５１Ｇ、Ｂ光用の光変調装置を３５１Ｂとする）、および色合成光学装置としてのクロスダイクロイックプリズム３５２を備える。
各光変調装置３５１は、透過型の液晶パネル、液晶パネルの光入射側に配置された入射側偏光板、および液晶パネルの光射出側に配置された射出側偏光板を備え、各色光を画像情報に応じて変調する。
【００３３】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が光変調装置３５１Ｒ，３５１Ｂにて変調されたＲ光およびＢ光を反射し、光変調装置３５１Ｇにて変調されたＧ光を透過して、３色の変調光を合成する。
【００３４】
投写レンズ５は、光軸Ａｘに沿って配置される複数のレンズを有して構成され、クロスダイクロイックプリズム３５２にて合成された光をスクリーン上に拡大投写する。また、投写レンズ５は、フォーカス調整およびズーム調整の機能を有する。
【００３５】
保持部６は、光学部品用筐体３７に取り付けられ、投写レンズ５を保持する。
図２は、投写レンズ５および保持部６を模式的に示す斜視図であり、投写レンズ５と保持部６とを分離した図である。
保持部６は、図２に示すように、ベース部６１、ベース部６１から突出する位置決めピン６２、および案内部としてのガイドピン６３を有している。
【００３６】
ベース部６１は、＋Ｙ側に光軸Ａｘに直交する基準面を有しており、投写レンズ５の光入射側の一部が挿通される開口部６１１が設けられ、開口部６１１の周囲には、内面にネジ溝が形成された複数のネジ穴６１Ｓが設けられている。
位置決めピン６２は、投写レンズ５を位置決めするための係合部に相当し、開口部６１１の上方に一対設けられ、ベース部６１の＋Ｙ側の面から＋Ｙ方向、つまりフランジ部５２に向かって突出している。また、一対の位置決めピン６２は、円柱部６２ａ、および円柱部６２ａに繋がるテーパー部６２ｂを有して形成されており、上方から見て、光軸Ａｘの両側に配置されている。
【００３７】
ガイドピン６３は、投写レンズ５が保持部６に取り付けられる際に、投写レンズ５が載置され、投写レンズ５を保持部６の所定の位置に導く。また、ガイドピン６３は、投写レンズ５が保持部６から取り外される際に、投写レンズ５を案内する。
ガイドピン６３は、図２に示すように、円柱形状を有し、ベース部６１の＋Ｙ側の面から＋Ｙ方向、つまりフランジ部５２に向かって突出しており、開口部６１１の下方に一対設けられている。また、一対のガイドピン６３は、上方から見て、光軸Ａｘの両側、具体的には、投写レンズ５が載置された状態で上方から見て後述する鏡筒部５１（図２参照）の両側からそれぞれの少なくとも一部が見えるように配置され、先端が位置決めピン６２の先端より＋Ｙ方向に突出するように形成されている。
【００３８】
〔投写レンズの取り付け構造〕
ここで、投写レンズ５の保持部６への取り付け構造について説明する。
投写レンズ５は、図２に示すように、複数のレンズを収納する鏡筒部５１、および鏡筒部５１の外周面から突出し、保持部６のベース部６１に対向するフランジ部５２を備える。
詳細な図示は省略するが、鏡筒部５１は、レンズ枠、案内筒、カム筒およびフォーカス筒等を備える。
複数のレンズの中には、フォーカス調整、ズーム調整に寄与するレンズがあり、このレンズは、光軸Ａｘに沿って移動可能に構成されている。
レンズ枠は、ズーム調整に寄与するレンズを保持する枠部と、枠部から光軸Ａｘに直交する方向に延出するカムピンを有している。
案内筒は、円筒部を有し、光軸Ａｘに沿う直進溝が形成されている。レンズ枠は、カムピンが直進溝に挿通され、枠部が案内筒内に移動可能に配置される。また、案内筒には、光軸Ａｘに沿って移動しないレンズも収納される。
【００３９】
カム筒は、内面にレンズ枠の移動を規定するカム溝を有し、筒状に形成されている。カム筒には、案内筒の一部が嵌挿され、カム溝に直進溝から突出するカムピンが係合する。そして、カム筒は、案内筒に対して回転されることによって直進溝とカム溝とでカムピンを誘導し、レンズ枠を光軸Ａｘに沿って移動させる。
【００４０】
フォーカス筒は、フォーカス調整に寄与するレンズを保持し、案内筒に対し回転可能に配置される。すなわち、カム筒が回転されるとズーム調整が行われ、フォーカス筒が回転されるとフォーカス調整が行われる。本実施形態の投写レンズ５は、図示は省略するが、カム筒およびフォーカス筒を独立して回転させるモーター等を有する機構を備え、制御部の指示によってズーム調整、フォーカス調整が行われる、いわゆる電動式で構成されている。
【００４１】
フランジ部５２は、鏡筒部５１の外周面、すなわち、カム筒およびカム筒から露出する案内筒の円筒部の外周面から突出している。具体的に、フランジ部５２は、案内筒と一体的に形成され、光軸Ａｘに沿う方向から見て矩形状に形成されており、−Ｙ側に光軸Ａｘに直交する基準面を有している。この基準面は、投写レンズ５が保持部６に取り付けられた状態で、ベース部６１の基準面と当接する。
【００４２】
フランジ部５２には、被係合部としての挿入孔５２１、当接部としての切欠き５２２、およびネジ挿通孔５２３が形成されている。
挿入孔５２１は、保持部６の位置決めピン６２が係合する孔であり、投写レンズ５は、所定の位置でフランジ部５２の挿入孔５２１に位置決めピン６２の円柱部６２ａが挿入され、フランジ部５２がベース部６１に当接して保持部６に位置決めされる。
【００４３】
切欠き５２２は、フランジ部５２の下端部に設けられ、平面視Ｕ字状に形成されている。切欠き５２２は、投写レンズ５が保持部６に載置された際に、ガイドピン６３と当接する部位であり、一対のガイドピン６３に対応して一対設けられている。切欠き５２２は、ガイドピン６３が挿入され、ガイドピン６３に対し左右方向（±Ｘ方向）のガタが詰められて設定されている。なお、切欠き５２２は、Ｕ字状に限らず、平面視矩形状であってもよい。
【００４４】
ネジ挿通孔５２３は、保持部６のネジ穴６１Ｓに対応する位置に形成されている。投写レンズ５は、挿入孔５２１に位置決めピン６２の円柱部６２ａが挿入されて保持部６に位置決めされ、ネジ挿通孔５２３から挿通されたネジがネジ穴６１Ｓに螺合されて保持部６に固定される。
【００４５】
次に、投写レンズ５の保持部６への取り付け手順について説明する。
図３は、投写レンズ５の保持部６への取り付け手順を説明するための図であり、投写レンズ５および保持部６を模式的に示す斜視図である。なお、保持部６は、光学部品用筐体３７に取り付けられているが、図３においては、光学部品用筐体３７を省略している。
【００４６】
先ず、図３（ａ）に示すように、フランジ部５２の切欠き５２２にガイドピン６３が配置されるように、投写レンズ５をガイドピン６３上に載置する。この状態で、投写レンズ５は、位置決めピン６２から離間し、左右方向（±Ｘ方向）の移動が規制されて配置される。
【００４７】
次に、投写レンズ５を−Ｙ方向に押すと、投写レンズ５は、ガイドピン６３に案内されて保持部６側にスライド移動し、フランジ部５２の挿入孔５２１が保持部６の位置決めピン６２に近づく。さらに、投写レンズ５を−Ｙ方向に押すと、挿入孔５２１に保持部６の位置決めピン６２のテーパー部６２ｂが挿入される。そして、フランジ部５２がベース部６１に当接するまで押されと、挿入孔５２１と位置決めピン６２の円柱部６２ａとが係合し、投写レンズ５は、保持部６に位置決めされる。
そして、投写レンズ５は、図３（ｂ）に示すように、ネジ挿通孔５２３から挿通されたネジＳＣがネジ穴６１Ｓに螺合されて保持部６に取り付けられる。
【００４８】
投写レンズ５を保持部６から取り外す場合には、ネジ穴６１Ｓに螺合されたネジＳＣを取り外した後、投写レンズ５を＋Ｙ方向に押すと、挿入孔５２１と位置決めピン６２との係合が解除される。そして、位置決めピン６２が挿入孔５２１から抜かれるところまでスライド移動されると、投写レンズ５を保持部６から取り外すことができる。
このように、投写レンズ５は、ガイドピン６３に載置され、フランジ部５２がベース部６１に近づけられることによってガイドピン６３に案内されて保持部６に位置決めされる。また、投写レンズ５は、ガイドピン６３に案内されて保持部６から取り外される。
【００４９】
以上説明したように、本実施形態のプロジェクター１によれば、以下の効果を得ることができる。
（１）投写レンズ５は、ガイドピン６３に載置された後、フランジ部５２がベース部６１に当接するまで押されて保持部６に位置決めされる。これによって、作業者は、投写レンズ５をガイドピン６３に載置すれば、投写レンズ５を抱えることなく、容易に投写レンズ５を保持部６に位置決めして保持部６に取り付けることができる。また、投写レンズは、保持部６から取り外される場合にもガイドピン６３によって案内されるので、作業者は、保持部６に位置決めされた投写レンズ５を抱えることなく容易に位置決めピン６２と挿入孔５２１との係合を解除し、投写レンズ５を取り外すことができる。
よって、重量が重い投写レンズ５を備える構成であっても、作業者に大きな負担をかけることなく、容易にこの投写レンズ５の保持部６への取り付け、および取り外しが可能なプロジェクター１の提供が可能となる。
【００５０】
（２）ガイドピン６３は、投写レンズ５がスライド移動するように投写レンズ５を案内する。これによって、投写レンズ５および保持部６における形状の自由度を高めることや、構成の簡素化が可能となる。例えば、投写光学装置を回転させることによって投写光学装置を保持部に位置決めするような構成においては、投写光学装置の回転軌跡の領域に形状を有さないように保持部を形成することや、保持部における投写光学装置の回転軌跡の領域が小さくなるように投写光学装置を構成する必要があるが、本実施形態の構成においては、これらの制約が抑制される。すなわち、保持部６に投写レンズ５がスライド可能な領域、例えば、ベース部６１における開口部６１１を設けることで、容易にガイドピン６３による投写レンズ５を案内する形態を構成することが可能となる。
【００５１】
（３）ガイドピン６３は、上方から見て光軸Ａｘの両側に一対配置され、切欠き５２２は、ガイドピン６３に対応して一対設けられている。これによって、投写レンズ５は、安定してガイドピン６３に載置されるとともに、保持部６に位置決めされる方向への安定した移動が可能となる。これによって、作業者は、より容易に、投写レンズ５を保持部６に位置決めすることが可能になる。
また、一対のガイドピン６３は、上方から見て、鏡筒部５１の両側からそれぞれの少なくとも一部が見えるように配置されているので、作業者は、投写レンズ５をガイドピン６３に載置し易くなり、作業性がさらに向上する。
【００５２】
（第２実施形態）
以下、第２実施形態に係るプロジェクターについて、図面を参照して説明する。以下の説明では、第１実施形態と同様の構成要素には、同一符号を付し、その詳細な説明は省略または簡略化する。
本実施形態のプロジェクターは、第１実施形態の投写レンズ５および保持部６とは異なる投写レンズ１５および保持部１６を備える。
【００５３】
図４は、投写レンズ１５および保持部１６を模式的に示す斜視図であり、投写レンズ１５と保持部１６とを分離した図である。
保持部１６は、図４に示すように、ベース部１６１、案内部１６３、および第１実施形態の保持部６と同様に、ベース部１６１から突出し、係合部としての位置決めピン６２を有している。
ベース部１６１には、第１実施形態のベース部６１と同様に、開口部６１１および複数のネジ穴６１Ｓが設けられている。
【００５４】
案内部１６３は、ベース部１６１の下端部に設けられており、ベース部１６１から投写レンズ１５側に向かって突出している。案内部１６３は、上側に設けられた平坦面ＦＬ、および平坦面ＦＬから上方に突出する一対のガイド壁１６３１を有している。
【００５５】
平坦面ＦＬは、案内部１６３の基端に設けられた基端面１６３ａ、および基端面１６３ａから屈曲する傾斜面１６３ｂを有している。基端面１６３ａは、光軸Ａｘおよび左右方向（±Ｘ方向）に沿うように形成されている。傾斜面１６３ｂは、光軸Ａｘに沿う方向において、ベース部１６１から離間する程、光軸Ａｘから遠ざかるように傾斜している。
【００５６】
一対のガイド壁１６３１は、平坦面ＦＬと光軸Ａｘに直交する面とが交差する直線に沿う第１方向、すなわち左右方向において、互いに対向している。また、一対のガイド壁１６３１は、第１方向（左右方向）における互いの離間距離が、ベース部１６１に近づく程小さくなり、ベース部１６１側となる基端部で投写レンズ１５の後述する回動部材１５３１が嵌合する大きさに形成されている。すなわち、一対のガイド壁１６３１の間の平坦面ＦＬは、第１方向（左右方向）において、ベース部１６１側で最も狭く、ベース部１６１から離間する程、広くなるように形成されている。
また、ベース部１６１には、一辺が基端面１６３ａに倣う矩形状の開口部１６１２が形成されている。
【００５７】
投写レンズ１５は、図４に示すように、第１実施形態のフランジ部５２とは異なるフランジ部１５２、およびフランジ部１５２に支持されたキャスター１５３を備える。なお、図４は、キャスター１５３の構造を簡略して示した図である。
フランジ部１５２は、第１実施形態におけるフランジ部５２の切欠き５２２が設けられておらず、フランジ部５２と同様に、挿入孔５２１およびネジ挿通孔５２３が形成されている。
【００５８】
キャスター１５３は、詳細な図示は省略するが、上下方向（±Ｚ方向）に延出する軸を中心として回動可能にフランジ部の下端に支持される支持部材（図示省略）、この支持部材に対し、Ｘ−Ｙ平面に沿う軸を中心として回動可能に支持される回動部材１５３１（図４参照）を備える。回動部材１５３１は、円柱状に形成されており、投写レンズ１５が保持部１６に着脱される際に、平坦面ＦＬに当接する当接部に相当する。
【００５９】
ここで、投写レンズ１５の保持部１６への取り付け手順について説明する。
図５は、投写レンズ１５の保持部１６への取り付け手順を説明するための図であり、投写レンズ１５および保持部１６を模式的に示す断面図である。なお、保持部１６は、光学部品用筐体３７に取り付けられているが、図５においては、光学部品用筐体３７を省略している。
【００６０】
先ず、図５（ａ）に示すように、案内部１６３が作業台ＴＡ上に位置するように保持部１６を配置する。案内部１６３は、傾斜面１６３ｂが作業台ＴＡの上面と小さな段差（図示省略）を介して繋がるように配置される。なお、傾斜面１６３ｂと作業台ＴＡの上面との間の段差が極力小さくなるように、作業台ＴＡに凹部を設けてもよい。
【００６１】
次に、作業台ＴＡに回動部材１５３１を当接させた投写レンズ１５を移動させ、案内部１６３の前方から投写レンズ１５を傾斜面１６３ｂ上に載置させる。そして、投写レンズ１５を押して傾斜面１６３ｂを上らせると、フランジ部１５２がベース部１６１に次第に近づく。投写レンズ１５は、回動部材１５３１の回動によりベース部１６１側に近づく方向以外の方向にも移動可能であるが、一対のガイド壁１６３１によって回動部材１５３１がベース部１６１側に向かうように案内され、挿入孔５２１に位置決めピン６２のテーパー部６２ｂが挿入される。
【００６２】
さらに、投写レンズ１５を上らせると、回動部材１５３１は、左右方向が一対のガイド壁１６３１に嵌合し、傾斜面１６３ｂ上から基端面１６３ａ上を回動する。そして、投写レンズ１５は、挿入孔５２１に位置決めピン６２の円柱部６２ａが挿入され、フランジ部１５２がベース部１６１に当接するまで押されて、図５（ｂ）に示すように、保持部１６に位置決めされる。また、フランジ部１５２の−Ｙ側から飛び出すキャスターの一部は、開口部１６１２内に配置される。
そして、投写レンズ１５は、第１実施形態の投写レンズ５と同様に、ネジ挿通孔５２３から挿通されたネジＳＣがネジ穴６１Ｓに螺合されて保持部１６に取り付けられる。
【００６３】
投写レンズ１５を保持部１６から取り外す場合には、ネジ穴６１Ｓに螺合されたネジＳＣを取り外した後、投写レンズ１５を＋Ｙ方向に押すと、挿入孔５２１と位置決めピン６２との係合が解除される。そして、投写レンズ１５は、回動部材１５３１が基端面１６３ａ上、傾斜面１６３ｂ上を回動して保持部１６から取り外される。
このように、投写レンズ１５は、回動部材１５３１が作業台ＴＡの上面から傾斜面１６３ｂを連続して回動して傾斜面１６３ｂに載置される。そして、投写レンズ１５は、回動部材１５３１が一対のガイド壁１６３１に案内され、平坦面ＦＬをスライド移動して保持部１６に位置決めされる。また、投写レンズ１５は、案内部１６３に案内されて保持部１６から取り外される。
【００６４】
以上説明したように、本実施形態のプロジェクターによれば、以下の効果を得ることができる。
（１）作業者は、回動部材１５３１が平坦面ＦＬに当接するように投写レンズ１５を案内部１６３に載置することで、投写レンズ１５を小さな力で移動させ、保持部１６に位置決めすることができる。よって、投写レンズ１５の保持部１６への取り付け、および取り外しがさらに容易となる。
また、床や作業台ＴＡ等に回動部材１５３１を当接させることで、投写レンズ１５を単独で容易に移動させることができる。
【００６５】
（２）投写レンズ１５は、案内部１６３が傾斜面１６３ｂを有しているので、作業台ＴＡの上面から傾斜面１６３ｂを連続して回動して案内部１６３に載置される。これによって、投写レンズ１５を作業台ＴＡから持ち上げることなく、容易に投写レンズ１５を案内部１６３に載置させることができる。よって、作業者の負荷をさらに低減することが可能となる。
【００６６】
（３）投写レンズ１５は、第１方向（左右方向）において、傾斜面１６３ｂのベース部１６１側より広い部位から載置され、回動部材１５３１がガイド壁１６３１に案内されて保持部１６に位置決めされる。これによって、投写レンズ１５をさらに容易に載置し易く構成しつつ、軽負荷で、投写レンズ１５を保持部１６の所定の位置に位置決めすることが可能となる。
【００６７】
（第３実施形態）
以下、第３実施形態に係るプロジェクターについて、図面を参照して説明する。以下の説明では、第１実施形態と同様の構成要素には、同一符号を付し、その詳細な説明は省略または簡略化する。
第１実施形態、第２実施形態では、保持部６，１６に位置決めされた投写レンズ５，１５をネジで保持部６，１６に固定するように構成されているが、本実施形態の保持部は、レバーが操作されることによって回転する部材を備え、この回転する部材が投写レンズの一部に係合することにより投写レンズを固定する、いわゆるスピゴット方式の構成を有している。
【００６８】
図６は、本実施形態の投写レンズ２５および保持部７を示す斜視図であり、投写レンズ２５と保持部７とを分離した図である。なお、図６は、投写レンズ２５を模式的に示した図である。
図６に示すように、本実施形態の投写レンズ２５は、第１実施形態の投写レンズ５における鏡筒部５１、およびフランジ部５２と形状が異なる鏡筒部２５１およびフランジ部２５２を備える。
【００６９】
鏡筒部２５１は、第１実施形態の鏡筒部５１が有していない突起２５１１を備える。突起２５１１は、フランジ部２５２の−Ｙ側の鏡筒部２５１に設けられており、光軸Ａｘを中心とする円周方向に１２０°の等間隔で鏡筒部２５１の外面から突出している。
フランジ部２５２は、第１実施形態のフランジ部５２が有するネジ挿通孔５２３（図２参照）を有さず、フランジ部５２と同様に、一対の挿入孔５２１および一対の切欠き５２２を有している。また、フランジ部２５２には、一対の挿入孔５２１の間に矩形状の切欠き２５２１が形成されている。
【００７０】
保持部７は、図６に示すように、ベース部７１、位置決めピン６２、およびガイドピン６３に加え、押圧部材７２、受部材７３、コイルバネ７４、およびレバー７５を備える。
ベース部７１は、第１実施形態のベース部６１に設けられたネジ穴６１Ｓ（図２参照）を有さず、上端で一対の位置決めピン６２の間に位置する切欠き７１１が形成されている。切欠き７１１は、フランジ部２５２の切欠き２５２１に対応する位置に形成されている。
位置決めピン６２およびガイドピン６３は、第１実施形態の位置決めピン６２およびガイドピン６３がベース部６１に取り付けられたと同様に、ベース部７１に取り付けられている。
【００７１】
押圧部材７２は、ベース部７１の−Ｙ側に、光軸Ａｘを中心に回転可能に配置され、所定の位置で投写レンズ２５の突起２５１１に係合し、投写レンズ２５を保持部７に固定する機能を有している。
図７は、ベース部７１を取り外した保持部７を示す斜視図である。
押圧部材７２は、図７に示すように、鏡筒部２５１（図６参照）の−Ｙ側が挿通される平面視円形の開口部７２１が形成され、この開口部７２１の周縁部には、投写レンズ２５の突起２５１１（図６参照）が挿通される切欠き７２２が設けられている。また、開口部７２１の周縁部には、切欠き７２２に繋がり、押圧部材７２の−Ｙ側に形成された凹部７２３が形成されている。また、押圧部材７２には、光軸Ａｘを中心とする円弧状の複数の長孔７２４が形成されている。
【００７２】
受部材７３は、押圧部材７２の−Ｙ側に配置され、押圧部材７２を支持する機能を有している。受部材７３は、図７に示すように、鏡筒部２５１の−Ｙ側が挿通される平面視円形の開口部７３１が形成され、開口部７３１の外側には、長孔７２４に挿通される円柱状のピン７３２が取り付けられている。そして、ピン７３２の先端部にはネジ溝が形成されている。
【００７３】
コイルバネ７４は、図７に示すように、押圧部材７２から突出するピン７３２に支持され、ピン７３２の先端部に取り付けられるナットＮａ等により位置付けられる。そして、コイルバネ７４は、押圧部材７２を受部材７３側に付勢する。
【００７４】
レバー７５は、投写レンズ２５が保持部７に着脱される際に操作される部材である。レバー７５は、図７に示すように、棒状に形成されており、一端が押圧部材７２の上側端部に軸支され、他端が操作されことによって、押圧部材７２を回転させる。具体的に、レバー７５は、図６に示すように、押圧部材７２に沿って延出する状態（図６における二点鎖線で示す状態）で操作されることにより押圧部材７２を所定の範囲で回転させる。そして、レバー７５が前方から見て最も左側に位置する第１状態に操作されると（図示省略）、押圧部材７２は、投写レンズ２５の保持部７への取り付けが可能となる位置に配置される。一方、レバー７５が前方から見て最も右側に位置する第２状態に操作されると、押圧部材７２は、投写レンズ２５を保持部７に固定させる位置に配置される。この第２状態において、レバー７５は、押圧部材７２に対して軸支されている部位を中心に屈曲可能となる（図６における実線で示す状態）。
【００７５】
ここで、投写レンズ２５の保持部７への取り付け手順について説明する。
先ず、レバー７５を第１状態にする。次に、第１実施形態で説明したと同様に、投写レンズ２５をガイドピン６３上に載置し、投写レンズ２５を押す。投写レンズ２５は、鏡筒部２５１の光入射側が開口部７２１に挿通される際に突起２５１１が切欠き７２２を通過し、第１実施形態で説明したと同様に、保持部７に位置決めされる。
【００７６】
投写レンズ２５が保持部７に位置決めされた状態で、レバー７５を前方から見て時計回りに回転させて第２状態にする。レバー７５が第１状態から第２状態に操作されると、押圧部材７２は、凹部７２３（図７参照）が投写レンズ２５の突起２５１１に係合する。押圧部材７２は、コイルバネ７４で受部材７３側に付勢されているので、投写レンズ２５は、押圧部材７２によって、受部材７３側に押圧され、フランジ部２５２がベース部７１に押し当てられ、保持部７に固定される。
【００７７】
図８は、保持部７および保持部７に取り付けられた投写レンズ２５の一部を示す斜視図である。
投写レンズ２５が保持部７に取り付けられた後、レバー７５が屈曲されると、レバー７５は、光軸Ａｘに向かって回転し、図８に示すように、切欠き７１１，２５２１に挿通され、鏡筒部２５１に並設された状態となる。
【００７８】
投写レンズ２５を保持部７から取り外す場合には、切欠き７１１，２５２１に挿通されているレバー７５を起立させ、レバー７５を前方から見て反時計回りに回転させて第１状態にする。そして、第１実施形態で説明したと同様に、投写レンズ２５を保持部７から取り外す。なお、位置決めピン６２やガイドピン６３をベース部７１以外の部材、例えば、受部材７３に取り付けるように構成してもよい。
【００７９】
以上説明したように、本実施形態のプロジェクターによれば、以下の効果を得ることができる。
レバー７５を回転するという簡単な操作で保持部７に位置決めされた投写レンズ２５の固定、およびその固定を解除することができる。
また、レバー７５は、屈曲可能に構成されているので、投写レンズ２５の着脱の際の操作しやすい長さの設定が可能であると共に、投写レンズ２５が保持部７に固定された状態でのプロジェクター内のレバー７５の配置スペースを省スペース化できる。
【００８０】
（変形例）
なお、前記実施形態は、以下のように変更してもよい。
案内部が、光軸Ａｘに沿って移動可能に構成される形態であってもよい。例えば、ベース部内に一部が収納可能で、このベース部からの飛び出し量が変更可能な案内部を備える構成とし、ベース部から大きく飛び出す状態の案内部に投写光学装置が載置され、この投写光学装置が案内部と共に移動して保持部に位置決めされるように構成してもよい。
【００８１】
第１実施形態のガイドピン６３をベース部６１に対して着脱可能に構成してもよい。例えば、ガイドピン６３の一端側にネジ部を設け、ベース部６１にこのネジ部に螺合するネジ穴を設けるように構成してもよい。これによって、投写レンズ５が保持部６に取り付けられた状態でガイドピン６３を取り外すことができるので、ガイドピン６３が配置されるスペースをプロジェクター１に設けることを不要とすることや、ガイドピン６３の重量がプロジェクター１の重量に加わらないように構成することができる。
同様に、第２実施形態の案内部１６３、第３実施形態のガイドピン６３を着脱可能に構成してもよい。
【００８２】
前記実施形態では、係合部として位置決めピン６２、被係合部として挿入孔５２１を用いているが、光軸Ａｘに平行な軸に沿う位置決め孔をベース部に設け、この位置決め孔を係合部とし、この位置決め孔に挿入される挿入ピンをフランジ部に設け、この挿入ピンを被係合部として構成してもよい。
【００８３】
第２実施形態の案内部１６３は、平坦面ＦＬが傾斜面１６３ｂを有しているが、傾斜面１６３ｂを有さない平坦面であってもよい。
また、第２実施形態の案内部１６３は、ベース部１６１の下端部に設けられているが、下端部に限らず、他の位置、例えば、上下方向における下端部より中央寄りに、光軸Ａｘを挟んで両側に平坦面を有する一対の案内部を設け、この一対の案内部に対応するキャスターを一対、投写光学装置が備えるように構成してもよい。
【００８４】
第２実施形態では、円柱状の回動部材１５３１を有するキャスター１５３を用いているが、球状の回動部材を用い、フランジ部の下端にこの球状の回動部材を、板金等の部材を利用して転動可能に支持するように構成してもよい。
【００８５】
第２実施形態では、円柱状の回動部材１５３１を有するキャスター１５３を用いているが、固定式の突出部とし、平坦面ＦＬ上を摺動するように構成してもよい。その際、固定式の突出部は、平坦面ＦＬとの摩擦を低減するよう、接触面積が小さい、例えば円柱状とし、表面に鏡面処理を施すなどしてもよい。
【００８６】
前記実施形態では、投写光学装置の固定方法としてネジを用いた方式、およびスピゴット方式を例示したが、投写光学装置を回転させることによって、保持部に保持されるバヨネット方式であってもよい。この構成の場合、位置決めピンが挿通される挿通孔は、円弧状に形成されることとなる。そして、投写レンズが載置される案内部は、投写レンズが回転されても投写レンズを案内するように構成されることとなる。
【００８７】
投写光学装置を光軸Ａｘに直交する方向に移動させるレンズシフト機構をプロジェクターが備える構成とし、前記実施形態の保持部６，１６，７がレンズシフト機構の一部を構成する形態であってもよい。例えば、保持部６，１６，７の−Ｙ側に配置される部材に対し、保持部６，１６，７が左右方向または上下方向に移動可能となるように構成してもよい。
【００８８】
第１実施形態の投写レンズ５は、フォーカス調整およびズーム調整が電動式で構成されているが、カム筒、フォーカス筒を手動で回転させる手動式で構成してもよい。
また、第１実施形態の投写レンズ５は、フォーカス調整およびズーム調整を光学的に行うように構成されているが、ズーム調整を画像処理で行う電子的な調整で構成してもよい。また、カム筒の回転によってフォーカス調整が行われるように構成してもよい。
【００８９】
前記実施形態のプロジェクター１は、光変調装置３５１として透過型の液晶パネルを用いているが、反射型の液晶パネルを利用したものであってもよい。また、光変調装置としてマイクロミラー型の光変調装置、例えば、ＤＭＤ（Digital Micromirror Device）等を利用したものであってもよい。
【００９０】
前記実施形態の光変調装置３５１は、Ｒ光、Ｇ光、およびＢ光に対応する３つの光変調装置３５１Ｒ，３５１Ｇ，３５１Ｂを用いるいわゆる３板方式を採用しているが、これに限らず、単板方式を採用してもよく、あるいは、２つまたは４つ以上の光変調装置を備えるプロジェクターにも適用できる。
【００９１】
光源装置３１は、放電型のランプを用いたものに限らず、その他の方式のランプや発光ダイオード、レーザー等の固体光源で構成してもよい。
【符号の説明】
【００９２】
１…プロジェクター、３…光学ユニット、５，１５，２５…投写レンズ（投写光学装置）、６，１６，７…保持部、３１…光源装置、３７…光学部品用筐体、５１，２５１…鏡筒部、５２，１５２，２５２…フランジ部、６１，７１，１６１…ベース部、６２…位置決めピン（係合部）、６３…ガイドピン（案内部）、７２…押圧部材、７３…受部材、７４…コイルバネ、７５…レバー、１５３…キャスター、１６３…案内部、１６３ａ…基端面、１６３ｂ…傾斜面、３１１…光源、３５１，３５１Ｂ，３５１Ｇ，３５１Ｒ…光変調装置、５２１…挿入孔（被係合部）、５２２…切欠き（当接部）、５２３…ネジ挿通孔、１５３１…回動部材（当接部）、１６３１…ガイド壁、２５１１…突起、ＡＸ…光軸、ＦＬ…平坦面。
【図１】
0006520146.tif 000002
【図２】
0006520146.tif 000003
【図３】
0006520146.tif 000004
【図４】
0006520146.tif 000005
【図５】
0006520146.tif 000006
【図６】
0006520146.tif 000007
【図７】
0006520146.tif 000008
【図８】
0006520146.tif 000009